(57)【要約】【課題】人体（頭部）に対する電波の比吸収率を抑制する携帯通信端末、およびアンテナ切替方法を提供する。【解決手段】携帯通信端末１は、前面２ｆおよび背面２ｒを有する筐体２と、前面２ｆに配置されて画面を表示する表示部３ｄ、および外部からの接触状況を検出する状況検出部３ｓを有するタッチパネル３とを備える。携帯通信端末１は、タッチパネル３（状況検出部３ｓ）に対する外部からの接触状況に応じて選択して切り替えられる第１アンテナ５ｆおよび第２アンテナ５ｓを備える。第１アンテナ５ｆおよび第２アンテナ５ｓは、筐体２の一端２ｐ側に配置され、第１アンテナ５ｆは、前面２ｆ側に、第２アンテナ５ｓは、背面２ｒ側に配置されている。一端２ｐには、通話時に音声が入力される送話口７が配置され、筐体２の他端２ｑには送話口７とは逆に通話時に相手方の音声が出力される受話口８が配置されている。【選択図】図１Ａ
2013225815.tif 000002
【特許請求の範囲】
【請求項１】
前面および背面を有する筐体と、前記前面に配置されて画面を表示する表示部、および外部からの接触状況を検出する状況検出部を有するタッチパネルとを備える携帯通信端末であって、
前記筐体内で前記前面側に配置された第１アンテナと、前記筐体内で前記背面側に配置された第２アンテナと、前記第１アンテナおよび前記第２アンテナのいずれか一方を選択して切り替えるアンテナ切替部とを備え、
前記状況検出部が外部からの接触を検出しているとき、前記アンテナ切替部は、前記第２アンテナを選択し、
前記状況検出部が外部からの接触を検出していないとき、前記アンテナ切替部は、前記第１アンテナを選択する構成とされていること
を特徴とする携帯通信端末。
【請求項２】
請求項１に記載の携帯通信端末であって、
前記筐体の一端に配置された送話口と、前記送話口とは反対側の他端の前記前面に配置された受話口とを備え、
前記第１アンテナおよび前記第２アンテナは、前記送話口の側に配置されていること
を特徴とする携帯通信端末。
【請求項３】
請求項１または請求項２に記載の携帯通信装置であって、
前記背面側に配置され、外部のワイヤレス充電器にセットされたとき前記ワイヤレス充電器から送信されるワイヤレス充電電力を受信する電力受信部と、前記電力受信部が受信した前記ワイヤレス充電電力が充電される充電池と、前記充電池が充電中であることを検出する充電検出部とを備え、
前記充電検出部が前記充電池の充電中であることを検出したとき、前記アンテナ切替部は、前記第１アンテナを選択する構成とされていること
を特徴とする携帯通信端末。
【請求項４】
請求項１から請求項３までのいずれか一つに記載の携帯通信端末であって、
前記タッチパネルは静電容量方式タッチパネルであり、前記状況検出部が、導電性物体の接近状況を検出したとき、前記アンテナ切替部は、前記第２アンテナを選択する構成とされていること
を特徴とする携帯通信端末。
【請求項５】
前面および背面を有する筐体と、前記前面に配置されて画面を表示する表示部、および外部からの接触状況を検出する状況検出部を有するタッチパネルと、前記筐体内で前記前面側に配置された第１アンテナと、前記筐体内で前記背面側に配置された第２アンテナと、前記第１アンテナおよび前記第２アンテナのいずれか一方を選択して切り替えるアンテナ切替部とを備える携帯通信端末におけるアンテナ選択方法であって、
前記状況検出部が外部からの接触を検出しているとき、前記アンテナ切替部は、前記第２アンテナを選択し、
前記状況検出部が外部からの接触を検出していないとき、前記アンテナ切替部は、前記第１アンテナを選択すること
を特徴とするアンテナ選択方法。
【請求項６】
請求項５に記載のアンテナ選択方法であって、
前記携帯通信端末は、前記背面側に配置された外部のワイヤレス充電器にセットされたとき前記ワイヤレス充電器から送信されるワイヤレス充電電力を受信する電力受信部と、前記電力受信部が受信した前記ワイヤレス充電電力が充電される充電池と、前記充電池が充電中であることを検出する充電検出部とを備え、
前記充電検出部が前記充電池の充電中であることを検出したとき、前記アンテナ切替部は、前記第１アンテナを選択する構成とされていること
を特徴とするアンテナ選択方法。
【発明の詳細な説明】
【技術分野】
【０００１】
本発明は、タッチパネルと２つのアンテナを備える携帯通信端末、および携帯通信端末におけるアンテナ選択方法に関する。
【背景技術】
【０００２】
電波の活用が進み、携帯して利用できる端末装置が種々提案され、特に携帯通信端末については、利便性から多くの製品が提供されている。しかしながら、一方では安定した受信の確保、また、他方では電波の人体への影響を抑制する必要が求められるなどの課題がある。
【０００３】
アンテナ特性の劣化を防止する技術として複数のアンテナを採用し、必要に応じてアンテナを選択する技術が提案されている（例えば、特許文献１参照。）。また、携帯端末装置の使用形態、姿勢を検出して複数のアンテナを切り替える技術が提案されている（例えば、特許文献２参照。）。また、表示部を２つに区分してそれぞれの区分で接触検出を行わせ、反対側に配置されたアンテナを選択する技術が提案されている（例えば、特許文献３参照。）。
【先行技術文献】
【特許文献】
【０００４】
【特許文献１】特開２０１０−２３９１８２号公報
【特許文献２】特開２００９−２８４５２５号公報
【特許文献２】特開２０１１−１５１６５８号公報
【発明の概要】
【発明が解決しようとする課題】
【０００５】
しかし、特許文献１ないし特許文献３に開示された技術によれば、次のような課題があった。
【０００６】
つまり、特許文献１に開示された技術によれば、人体の接近を検出する複数の位置検知手段が必要であり、専用のセンサが複数必要となることから、回路構成、部品構成が複雑化してコストアップ、形状の大型化をもたらす虞がある。また、特許文献２に開示された技術によれば、携帯端末装置の表示方向や、加速度センサを用いているが、携帯端末装置と人体との接触状況を高精度に把握することができない。また、特許文献３に開示された技術によれば、人体が接触していない側のアンテナを選択することから良好な通信状態が得られるが、人体に対する電波の比吸収率を小さくすることはできない。
【０００７】
本発明はこのような状況に鑑みてなされたものであり、アンテナを筐体の前面側と背面側とにそれぞれ配置して使用状況に応じて選択することによって、人体（頭部）に対する電波の比吸収率を抑制する携帯通信端末を提供することを目的とする。
【０００８】
また、タッチパネルに対する外部からの接触状況に基づいてアンテナを切り替えることによって人体への影響を抑制する携帯通信端末におけるアンテナ切替方法を提供することを他の目的とする。
【課題を解決するための手段】
【０００９】
本発明に係る携帯通信端末は、前面および背面を有する筐体と、前記前面に配置されて画面を表示する表示部、および外部からの接触状況を検出する状況検出部を有するタッチパネルとを備える携帯通信端末であって、前記筐体内で前記前面側に配置された第１アンテナと、前記筐体内で前記背面側に配置された第２アンテナと、前記第１アンテナおよび前記第２アンテナのいずれか一方を選択して切り替えるアンテナ切替部とを備え、前記状況検出部が外部からの接触を検出しているとき、前記アンテナ切替部は、前記第２アンテナを選択し、前記状況検出部が外部からの接触を検出していないとき、前記アンテナ切替部は、前記第１アンテナを選択する構成とされていることを特徴とする。
【００１０】
したがって、本発明に係る携帯通信端末は、筐体の前面側に第１アンテナを配置し、筐体の背面側に第２アンテナを配置することから、通話中に頭部がタッチパネルに接触している状態、あるいはタッチパネルへの入力のための接触がされている状態では、背面側の第２アンテナを選択して接続するので、頭部への影響などを抑制して頭部に対する比吸収率（ＳＡＲ：Ｓｐｅｃｉｆｉｃ  Ａｂｓｏｒｐｔｉｏｎ  Ｒａｔｅ）を低減することができる。他方、タッチパネルに対する外部からの接触がない状態（人体の接触が無い状態。例えば机上に載置している状態。）では前面側の第１アンテナを選択して接続するので、良好な受信待機（待ち受け受信）状態を確保することができる。
【００１１】
また、本発明に係る携帯通信端末は、前記筐体の一端に配置された送話口と、前記送話口とは反対側の他端の前記前面に配置された受話口とを備え、前記第１アンテナおよび前記第２アンテナは、前記送話口の側に配置されていることを特徴とする。
【００１２】
したがって、本発明に係る携帯通信端末は、第１アンテナおよび第２アンテナを送話口の側に配置することから、受話口を頭部（耳）に接触した通話状態で、頭部（耳）に対する影響を確実に抑制して比吸収率を低減することができ、更にタッチパネルが頭部の接触を検出して第２アンテナを接続するので、頭部に対する比吸収率を高精度に低減することができる。
【００１３】
また、本発明に係る携帯通信端末は、前記背面側に配置され、外部のワイヤレス充電器にセットされたとき前記ワイヤレス充電器から送信されるワイヤレス充電電力を受信する電力受信部と、前記電力受信部が受信した前記ワイヤレス充電電力が充電される充電池と、前記充電池が充電中であることを検出する充電検出部とを備え、前記充電検出部が前記充電池の充電中であることを検出したとき、前記アンテナ切替部は、前記第１アンテナを選択する構成とされていることを特徴とする。
【００１４】
したがって、本発明に係る携帯通信端末は、ワイヤレス充電電力を受信する電力受信部および充電検出部を備え、充電池が充電中であることを検出したときに、アンテナ切替部は前面側に配置された第１アンテナを選択する構成とされていることから、ワイヤレス充電器が有するコイルなどの導電性物体による第１アンテナへの干渉を抑制してアンテナ特性の劣化を抑制することができる。つまり、ワイヤレス充電器による充電時のアンテナへの干渉を排除して第１アンテナによる受信を確実に行うことができる。
【００１５】
また、本発明に係る携帯通信端末では、前記タッチパネルは静電容量方式タッチパネルであり、前記状況検出部が、導電性物体の接近状況を検出したとき、前記アンテナ切替部は、前記第２アンテナを選択する構成とされていることを特徴とする。
【００１６】
したがって、本発明に係る携帯通信端末は、状況検出部が導電性物体の接近を検出したとき、前面が導電性物体に近接して載置（配置）されていると判断し、アンテナ切替部は、第２アンテナを選択することから、第２アンテナによる受信を確実に行うことができる。
【００１７】
また、本発明に係る携帯通信端末におけるアンテナ選択方法は、前面および背面を有する筐体と、前記前面に配置されて画面を表示する表示部、および外部からの接触状況を検出する状況検出部を有するタッチパネルと、前記筐体内で前記前面側に配置された第１アンテナと、前記筐体内で前記背面側に配置された第２アンテナと、前記第１アンテナおよび前記第２アンテナのいずれか一方を選択して切り替えるアンテナ切替部とを備える携帯通信端末におけるアンテナ選択方法であって、前記状況検出部が外部からの接触を検出しているとき、前記アンテナ切替部は、前記第２アンテナを選択し、前記状況検出部が外部からの接触を検出していないとき、前記アンテナ切替部は、前記第１アンテナを選択することを特徴とする。
【００１８】
したがって、本発明に係るアンテナ選択方法は、タッチパネルに対する外部からの接触が検出されたときには、背面側の第２アンテナを選択し、タッチパネルに対する外部からの接触が検出されないときには、前面側の第１アンテナを選択して接続することから、人体に対する影響を抑制できるので、比吸収率を低減した安全性の高い効果的な受信が可能となる。
【００１９】
また、本発明に係る携帯通信端末におけるアンテナ選択方法では、前記携帯通信端末は、前記背面側に配置された外部のワイヤレス充電器にセットされたとき前記ワイヤレス充電器から送信されるワイヤレス充電電力を受信する電力受信部と、前記電力受信部が受信した前記ワイヤレス充電電力が充電される充電池と、前記充電池が充電中であることを検出する充電検出部とを備え、前記充電検出部が前記充電池の充電中であることを検出したとき、前記アンテナ切替部は、前記第１アンテナを選択する構成とされていることを特徴とする。
【００２０】
したがって、本発明に係るアンテナ選択方法は、ワイヤレス充電電力を受信する電力受信部を備える携帯通信端末が外部のワイヤレス充電器にセットされ、充電検出部が充電池の充電中であることを検出したとき、アンテナ切替部が第１アンテナを選択することから、ワイヤレス充電器が有するコイルなどの導電性物体による第１アンテナへの干渉を抑制することができ、第１アンテナにおけるアンテナ特性の劣化を抑制することができる。
【発明の効果】
【００２１】
本発明に係る携帯通信端末は、通話中に頭部がタッチパネルに接触している状態、あるいはタッチパネルへの入力のための接触がされている状態では、背面側の第２アンテナを選択して接続する。
【００２２】
したがって、本発明に係る携帯通信端末は、頭部への影響などを抑制して頭部に対する比吸収率（ＳＡＲ）を低減することができる。他方、タッチパネルに対する外部からの接触がない状態（人体の接触が無い状態。例えば机上に載置している状態。）では前面側の第１アンテナを選択して接続するので、良好な受信待機（待ち受け受信）状態を確保することができるという効果を奏する。
【００２３】
また、本発明に係る携帯通信端末におけるアンテナ選択方法は、タッチパネルに対する外部からの接触が検出されたときには、背面側の第２アンテナを選択し、タッチパネルに対する外部からの接触が検出されないときには、前面側の第１アンテナを選択して接続する。
【００２４】
したがって、本発明に係るアンテナ選択方法は、人体に対する影響を抑制できるので、比吸収率を低減した安全性の高い効果的な受信が可能となるという効果を奏する。
【図面の簡単な説明】
【００２５】
【図１Ａ】本発明の実施の形態１に係る携帯通信端末の外観と第１アンテナおよび第２アンテナの配置状態を斜め上方から見て示す斜視図である。
【図１Ｂ】図１Ａに示した携帯通信端末の内部での主要部の配置状態を側面から見て模式的に示す側面図である。
【図１Ｃ】図１Ａに示した携帯通信端末の一般的な使用態様例１を模式的に示す模式図である。
【図１Ｄ】図１Ａに示した携帯通信端末の一般的な使用態様例２を模式的に示す模式図である。
【図１Ｅ】図１Ａに示した携帯通信端末の一般的な使用態様例３を模式的に示す模式図である。
【図２】図１Ａに示した携帯通信端末を構成する主な機能ブロックを模式的に示す機能ブロック図である。
【図３Ａ】図１Ａに示した携帯通信端末をワイヤレス充電器にセットした状態を斜め上方から見て示す斜視図である。
【図３Ｂ】図３Ａに示した携帯通信端末とワイヤレス充電器の内部での主要部の配置状態を側面から見て模式的に示す側面図である。
【図４】本発明の実施の形態２に係る携帯通信端末における動作の処理フローの概要を示すフロー図である。
【発明を実施するための形態】
【００２６】
以下、本発明の実施の形態について図面を参照して説明する。
【００２７】
＜実施の形態１＞
図１Ａないし図３Ｂを参照して、本実施の形態に係る携帯通信端末１について説明する。
【００２８】
図１Ａは、本発明の実施の形態１に係る携帯通信端末１の外観と第１アンテナ５ｆおよび第２アンテナ５ｓの配置状態を斜め上方から見て示す斜視図である。
【００２９】
図１Ｂは、図１Ａに示した携帯通信端末１の内部での主要部の配置状態を側面から見て模式的に示す側面図である。
【００３０】
本実施の形態に係る携帯通信端末１は、例えば、多機能携帯電話などであり、平面視で例えば長方形の外周形状を有し、表面に表示部３ｄを兼ねたタッチパネル３を有することから、操作性、把持性に優れた特徴を有している。携帯通信端末１の具体的な製品カテゴリーは、例えば、タブレット端末、スマートフォン、ＰＤＡ（Ｐｅｒｓｏｎａｌ  Ｄｉｇｉｔａｌ  Ａｓｓｉｓｔ）などである。
【００３１】
すなわち、携帯通信端末１は、前面２ｆおよび背面２ｒを有する筐体２と、前面２ｆに配置されて画面を表示する表示部３ｄ、および外部からの接触状況を検出する状況検出部３ｓを有するタッチパネル３とを備える。
【００３２】
携帯通信端末１は、タッチパネル３（状況検出部３ｓ）に対する外部からの接触状況に応じて選択して切り替えられる第１アンテナ５ｆおよび第２アンテナ５ｓを備える。第１アンテナ５ｆおよび第２アンテナ５ｓは、筐体２の一端２ｐ側に配置され、第１アンテナ５ｆは、前面２ｆ側に、第２アンテナ５ｓは、背面２ｒ側に配置されている。一端２ｐには、通話時に音声が入力される送話口７（マイクロフォン）が配置され、筐体２の他端２ｑには送話口７とは逆に通話時に相手方の音声が出力される受話口８（スピーカ）が配置されている。
【００３３】
携帯通信端末１では、第１アンテナ５ｆおよび第２アンテナ５ｓは、筐体２の送話口７の側に配置されている。したがって、携帯通信端末１の使用状態では、受話口８側にくる頭部がアンテナ（第１アンテナ５ｆ、第２アンテナ５ｓ）から離れた状態となるので、人体に対する影響を抑制することができる。
【００３４】
筐体２の側面視で示すとおり、前面２ｆ側には、送話口７、受話口８、第１アンテナ５ｆ、タッチパネル３が配置され、背面２ｒ側には、ワイヤレス充電部２０、充電池２５が配置されている。また、前面２ｆおよび背面２ｒの中間領域には、本体機能部１０が配置されている。本体機能部１０は、中央処理部１１（図２）、無線通信回路１４（図２）など携帯通信端末１の機能を発揮させる主要部であるが、本実施の形態に係る携帯通信端末１においては、一般的に知られている構成を適用できることから説明を省略する。
【００３５】
図１Ｃは、図１Ａに示した携帯通信端末１の一般的な使用態様例１を模式的に示す模式図である。
【００３６】
携帯通信端末１は、無線での通話に適用され、通話中は、送話口７が人体の口元に配置され、受話口８が頭部Ｈｄ（耳）に接触して利用される。受話口８が頭部Ｈｄに接触した状態では、タッチパネル３は頭部Ｈｄに接触（あるいは検出）した状態となり、タッチパネル３（状況検出部３ｓ：図２参照）は、接触状態を検出することができる。
【００３７】
携帯通信端末１は、頭部Ｈｄに近接して適用（動作）するときは、人体に対する電波の影響が大きくなることから、比吸収率（ＳＡＲ：Ｓｐｅｃｉｆｉｃ  Ａｂｓｏｒｐｔｉｏｎ  Ｒａｔｅ）をできるだけ抑制する構成とされる。
【００３８】
携帯通信端末１は、第１アンテナ５ｆおよび第２アンテナ５ｓを受話口８ではなく、送話口７の側に配置していることから、頭部Ｈｄに対する比吸収率を抑制することができる。
【００３９】
図１Ｄは、図１Ａに示した携帯通信端末１の一般的な使用態様例２を模式的に示す模式図である。
【００４０】
携帯通信端末１は、通話以外に簡易なコンピュータ機能を有することから、手指Ｈｆで把持した状態で種々の操作（例えばネット接続など）がなされる。この状態では、筐体２は、手指Ｈｆに把持された状態となるが、頭部Ｈｄおよび人体の胴体からは離れた状態となり、比吸収率の課題は比較的抑制された状態となっている。
【００４１】
図１Ｅは、図１Ａに示した携帯通信端末１の一般的な使用態様例３を模式的に示す模式図である。
【００４２】
携帯通信端末１は、筐体２（背面２ｒ）が机Ｄｋに載置された状態であり、例えば放置状態（待ち受け状態）とされている。また、机Ｄｋが鉄、スチールなどの金属性物体、導電性物体で構成されている場合は、タッチパネル３（状況検出部３ｓ）が導電性物体を検出して、第２アンテナ５ｓを選択する構成とされることが好ましい。なお、導電性物体の検出を実行する携帯通信端末１については、実施の形態３で変形例として説明する。
【００４３】
図２は、図１Ａに示した携帯通信端末１を構成する主な機能ブロックを模式的に示す機能ブロック図である。
【００４４】
携帯通信端末１は、通信機能として、第１アンテナ５ｆ、第２アンテナ５ｓ、アンテナ切替部６、無線通信回路１４を備え、アンテナ切替部６は、第１アンテナ５ｆおよび第２アンテナ５ｓのいずれかを選択して切り替える。アンテナ切替部６を経由して入力された無線信号は、無線通信回路１４によって適宜の信号に変換される。中央処理部１１は、例えばＣＰＵ（中央処理装置）で構成され、携帯通信端末１の機能を制御する制御部１２、無線通信回路１４から伝送された信号などを処理する信号処理部１３を備える。
【００４５】
中央処理部１１は、タッチパネル３（状況検出部３ｓ）が検出した検出信号Ｓｓを受信して予めインストールされたコンピュータプログラムに応じて信号処理を行う。また、中央処理部１１は、信号処理の結果を表示駆動信号Ｓｄに変換してタッチパネル３（表示部３ｄ）へ送信し、タッチパネル３（表示部３ｄ）は、表示駆動信号Ｓｄに応じた表示を行う。タッチパネル３は、入力（状況検出部３ｓ）および出力（表示部３ｄ）の両方の機能を果たす構成とされている。なお、タッチパネル３以外に必要な入力部あるいは出力部を備えることも可能であるが説明は省略する。
【００４６】
携帯通信端末１は、ワイヤレス充電部２０および充電池２５を備える。ワイヤレス充電部２０は、外部（ワイヤレス充電器５０）からのワイヤレス充電電力Ｐｗｃを受信する電力受信部２１を備え、電力受信部２１が受信したワイヤレス充電電力Ｐｗｃを充電池２５へ充電する。なお、ワイヤレス充電部２０は、電力受信部２１と充電池２５との間に充電条件設定部２２を備える。充電条件設定部２２は、電力受信部２１が受電したワイヤレス充電電力Ｐｗｃの状態および充電池２５の充電状態に応じて効率的な充電を実行する構成とされている。
【００４７】
また、ワイヤレス充電部２０は、充電池２５が充電状態であることを検出する充電検出部２３を備え、充電検出部２３は、充電池２５が充電中であるときは、ワイヤレス充電検出信号Ｓｗｃを中央処理部１１へ送信する。
【００４８】
ワイヤレス充電器５０は、携帯通信端末１が載置台５０ｓ（図３Ａ、図３Ｂ参照）に載置されたとき、電力生成部５１に充電電力を生成させ、電力送信部５２を介してワイヤレス充電電力Ｐｗｃを携帯通信端末１へ送信（無線送電）する。なお、ワイヤレス充電器５０は、携帯通信端末１を検出する適宜の手段を備えるが、説明は省略する。
【００４９】
携帯通信端末１は、筐体２の一端２ｐに配置された送話口７と、送話口７とは反対側の他端２ｑの前面２ｆに配置された受話口８とを備え、第１アンテナ５ｆおよび第２アンテナ５ｓは、送話口７の側に配置されている。この構成によって、携帯通信端末１は、第１アンテナ５ｆおよび第２アンテナ５ｓを送話口７の側に配置することから、受話口８を頭部Ｈｄ（耳）に接触した通話状態で、頭部Ｈｄ（耳）に対する影響を確実に抑制して比吸収率を低減することができ、更にタッチパネル３が頭部Ｈｄの接触を検出して第２アンテナ５ｓを接続するので、頭部Ｈｄに対する比吸収率を高精度に低減することができる。
【００５０】
図３Ａは、図１Ａに示した携帯通信端末１をワイヤレス充電器５０にセットした状態を斜め上方から見て示す斜視図である。
【００５１】
図３Ｂは、図３Ａに示した携帯通信端末１とワイヤレス充電器５０の内部での主要部の配置状態を側面から見て模式的に示す側面図である。
【００５２】
携帯通信端末１は、内部に充電池２５を有し、充電池２５に対する充電手段としてワイヤレス充電部２０を備える。したがって、携帯通信端末１は、ワイヤレス充電器５０にセットされたとき、自動的にワイヤレス充電が可能な構成とされている。
【００５３】
ワイヤレス充電器５０は、載置台５０ｓを備え、載置台５０ｓに携帯通信端末１が載置されたとき、ワイヤレス充電電力Ｐｗｃを携帯通信端末１に向けて送信し、充電を実行する。なお、ワイヤレス充電器５０は、一般的なワイヤレス充電器が適用されるので、詳細な説明は省略する。
【００５４】
＜実施の形態２＞
図４を参照して、本実施の形態に係る携帯通信端末１の細部の構成、動作状態、更には、携帯通信端末１におけるアンテナ選択方法について説明する。
【００５５】
図４は、本発明の実施の形態２に係る携帯通信端末１における動作の処理フローの概要を示すフロー図である。
【００５６】
ステップＳ２ないしステップＳ１０を参照して、本実施の形態に係る携帯通信端末１の動作態様の概要（処理フロー）について説明する。
【００５７】
ステップＳ２：
中央処理部１１（制御部１２）は、携帯通信端末１がワイヤレス充電中か否かを判定する。中央処理部１１は、充電検出部２３からワイヤレス充電検出信号Ｓｗｃを受信しているとき、ワイヤレス充電中と判定し、ワイヤレス充電検出信号Ｓｗｃを受信していないとき、ワイヤレス充電中ではないと判定する。
【００５８】
ワイヤレス充電中である場合（ステップＳ２：ＹＥＳ）は、ステップＳ８へ移行する。ワイヤレス充電中で無い場合（ステップＳ２：ＮＯ）は、ステップＳ４へ移行する。
【００５９】
携帯通信端末１は、背面２ｒ側に配置され、外部のワイヤレス充電器５０にセットされたときワイヤレス充電器５０から送信されるワイヤレス充電電力Ｐｗｃを受信する電力受信部２１と、電力受信部２１が受信したワイヤレス充電電力Ｐｗｃが充電される充電池２５と、充電池２５が充電中であることを検出する充電検出部２３とを備え、充電検出部２３が充電池２５の充電中であることを検出したとき、アンテナ切替部６は、第１アンテナ５ｆを選択する構成とされていることが好ましい。
【００６０】
したがって、携帯通信端末１は、ワイヤレス充電電力Ｐｗｃを受信する電力受信部２１および充電検出部２３を備え、充電池２５が充電中であることを検出したときに、アンテナ切替部６は前面２ｆ側に配置された第１アンテナ５ｆを選択する構成とされていることから、ワイヤレス充電器５０が有するコイルなどの導電性物体による第１アンテナ５ｆへの干渉を抑制してアンテナ特性の劣化を抑制することができる。つまり、ワイヤレス充電器５０による充電時のアンテナへの干渉を排除して第１アンテナ５ｆによる受信を確実に行うことができる。
【００６１】
ステップＳ４：
中央処理部１１（制御部１２）は、タッチパネル３（状況検出部３ｓ）からの検出信号Ｓｓがあるか否かを判定する。検出信号Ｓｓがある場合（ステップＳ４：ＹＥＳ）は、ステップＳ６へ移行し、検出信号Ｓｓが無い場合（ステップＳ４：ＮＯ）は、ステップＳ８へ移行する。
【００６２】
携帯通信端末１は、筐体２内で前面２ｆ側に配置された第１アンテナ５ｆと、筐体２内で背面２ｒ側に配置された第２アンテナ５ｓと、第１アンテナ５ｆおよび第２アンテナ５ｓのいずれか一方を選択して切り替えるアンテナ切替部６とを備え、状況検出部３ｓが外部からの接触を検出しているとき、アンテナ切替部６は、第２アンテナ５ｓを選択し、状況検出部３ｓが外部からの接触を検出していないとき、アンテナ切替部６は、第１アンテナ５ｆを選択する構成とされていることが好ましい。
【００６３】
したがって、携帯通信端末１は、筐体２の前面２ｆ側に第１アンテナ５ｆを配置し、筐体２の背面２ｒ側に第２アンテナ５ｓを配置することから、通話中に頭部Ｈｄがタッチパネル３に接触している状態（図１Ｃ）、あるいはタッチパネル３への入力のための接触がされている状態では、背面２ｒ側の第２アンテナ５ｓを選択して接続するので、頭部Ｈｄへの影響などを抑制して頭部Ｈｄに対する比吸収率（ＳＡＲ）を低減することができる。他方、タッチパネル３に対する外部からの接触がない状態（人体の接触が無い状態。例えば机Ｄｋ上に載置している状態（図１Ｅ）。）では前面２ｆ側の第１アンテナ５ｆを選択して接続するので、良好な受信待機（待ち受け受信）状態を確保することができる。
【００６４】
ステップＳ６：
状況検出部３ｓがタッチパネル３に対する外部からの接触を検出していることから、中央処理部１１は、アンテナ切替部６に対して第２アンテナ５ｓを選択するように指示を出し、アンテナ切替部６は、第２アンテナ５ｓを選択して接続する。第２アンテナ５ｓを接続した後、ステップＳ１０へ移行する。
【００６５】
状況検出部３ｓがタッチパネル３に対する外部からの接触を検出した状態では、アンテナ切替部６は、背面２ｒに配置された第２アンテナ５ｓを選択して機能させることから、前面２ｆに対する接触による人体への影響を抑制することができる。
【００６６】
ステップＳ８：
携帯通信端末１は、充電中であるか、あるいは、状況検出部３ｓによるタッチパネル３に対する接触が検出されない状態であることから、アンテナ切替部６は、前面２ｆに配置された第１アンテナ５ｆを選択して接続する。つまり、充電中、あるいは、状況検出部３ｓによる接触が検出されない状態であれば、前面２ｆ側の第１アンテナ５ｆを選択して接続することによって、第１アンテナ５ｆを効果的に機能させることができる。第１アンテナ５ｆを接続した後、ステップＳ１０へ移行する。
【００６７】
ステップＳ１０：
予め設定された一定の時間（例えば、数秒ないし数十秒）を経過した後、初期状態へ戻る。つまり、ステップＳ２へ戻り、携帯通信端末１の状態に応じた判定を実行する。したがって、携帯通信端末１として動作させている間、ステップＳ２からステップＳ１０の処理フローを繰り返し実行し、本実施の形態に係るアンテナ選択方法を実行する。
【００６８】
なお、本ステップＳ１０において、タッチパネル３（状況検出部３ｓ）による検出信号Ｓｓが中央処理部１１に送信されたときは、即時に第２アンテナ５ｓを接続する形態とすることも可能である。また、各ステップでの対応時間は、各ステップに対する前後の状況を判断して適宜の待ち時間を適用することが可能である。
【００６９】
上記したとおり、本実施の形態に係る携帯通信端末１におけるアンテナ選択方法は、前面２ｆおよび背面２ｒを有する筐体２と、前面２ｆに配置されて画面を表示する表示部３ｄ、および外部からの接触状況を検出する状況検出部３ｓを有するタッチパネル３と、筐体２内で前面２ｆ側に配置された第１アンテナ５ｆと、筐体２内で背面２ｒ側に配置された第２アンテナ５ｓと、第１アンテナ５ｆおよび第２アンテナ５ｓのいずれか一方を選択して切り替えるアンテナ切替部６とを備える携帯通信端末１におけるアンテナ選択方法である。
【００７０】
本実施の形態に係るアンテナ選択方法は、状況検出部３ｓが外部からの接触を検出しているとき（ステップＳ４：ＹＥＳ）、アンテナ切替部６は、第２アンテナ５ｓを選択し（ステップＳ６）、状況検出部３ｓが外部からの接触を検出していないとき（ステップＳ４：ＮＯ）、アンテナ切替部６は、第１アンテナ５ｆを選択する（ステップＳ８）構成とされている。
【００７１】
したがって、本実施の形態に係るアンテナ選択方法は、タッチパネル３に対する外部からの接触が検出されたときには、背面２ｒ側の第２アンテナ５ｓを選択し、タッチパネル３に対する外部からの接触が検出されないときには、前面２ｆ側の第１アンテナ５ｆを選択して接続することから、人体（頭部Ｈｄ）に対する影響を抑制できるので、比吸収率を低減した安全性の高い効果的な受信が可能となる。
【００７２】
また、上記したとおり、本実施の形態に係る携帯通信端末１のアンテナ選択方法では、携帯通信端末１は、背面２ｒ側に配置された外部のワイヤレス充電器５０にセットされたときワイヤレス充電器５０から送信されるワイヤレス充電電力Ｐｗｃを受信する電力受信部２１と、電力受信部２１が受信したワイヤレス充電電力Ｐｗｃが充電される充電池２５と、充電池２５が充電中であることを検出する充電検出部２３とを備え、充電検出部２３が充電池２５の充電中であることを検出したとき（ステップＳ２：ＹＥＳ）、アンテナ切替部６は、第１アンテナ５ｆを選択する（ステップＳ８）構成とされている。
【００７３】
したがって、本実施の形態に係るアンテナ選択方法は、ワイヤレス充電電力Ｐｗｃを受信する電力受信部２１を備える携帯通信端末１が外部のワイヤレス充電器５０にセットされ、充電検出部２３が充電池２５の充電中であることを検出したとき、アンテナ切替部６が第１アンテナ５ｆを選択することから、ワイヤレス充電器５０が有するコイルなどの導電性物体による第１アンテナ５ｆへの干渉を抑制することができ、第１アンテナ５ｆにおけるアンテナ特性の劣化を抑制することができる。
【００７４】
タッチパネル３を適用したときは、タッチパネル３がそのまま接触状況を判断するセンサ（状況検出部３ｓ）として機能するので、携帯通信端末１は、別途センサを設ける必要が無く、構造が簡略化され、生産性が向上する。
【００７５】
＜実施の形態３＞
実施の形態１、実施の形態２に係る携帯通信端末１の変形例を実施の形態３として説明する。
【００７６】
携帯通信端末１におけるタッチパネル３は、種々の形態を適用することが可能であり、特別な制限は無い。したがって、タッチパネル３として静電容量式タッチパネルを適用することが可能である。本実施の形態に係る携帯通信端末１では、タッチパネル３は、静電容量式タッチパネルである。なお、静電容量式タッチパネルは、導電性物体の接近を検出することができる。
【００７７】
つまり、タッチパネル３が静電容量方式タッチパネルである場合、タッチパネル３は、タッチパネル３に対する直接的な接触（例えば頭部Ｈｄの接触、手指Ｈｆの接触）だけでなく導電性物体（例えば鉄製の表面を有する机Ｄｋ）が接近した場合に導電性物体を検出することができる。
【００７８】
例えば、鉄製の机Ｄｋ（図１Ｅ）など導電性物体の上に携帯通信端末１の前面２ｆが下に向けてうつ伏せの状態で置かれた（タッチパネル３と第１アンテナ５ｆが鉄製の机などの導電性物体と接近するように置かれた）場合、前面２ｆにある第１アンテナ５ｆが導電性物体と接近し、アンテナ特性が劣化する虞がある。
【００７９】
したがって、前面２ｆが導電性物体に対向して配置された場合、アンテナ切替部６（中央処理部１１）は、状況検出部３ｓからの検出信号Ｓｓに基づいて背面２ｒの第２アンテナ５ｓを選択し、導電性物体からアンテナを遠ざけることによって、アンテナ特性の劣化を小さく抑えることができる。
【００８０】
すなわち、本実施の形態に係る携帯通信端末１では、タッチパネル３は静電容量方式タッチパネル３であり、状況検出部３ｓが、導電性物体の接近状況を検出したとき、アンテナ切替部６は、第２アンテナ５ｓを選択する構成とされていることが好ましい。
【００８１】
この構成によって、携帯通信端末１は、状況検出部３ｓが導電性物体の接近を検出したとき、前面２ｆが導電性物体に近接して載置（配置）されていると中央処理部１１（制御部１２）で判断し、アンテナ切替部６は、第２アンテナ５ｓを選択することから、第２アンテナ５ｓによる受信を確実に行うことができる。
【００８２】
なお、実施の形態１ないし実施の形態３は、いずれも相互に適用することが可能である。また、タッチパネル３への接触が検出されたとき（ステップＳ４：ＹＥＳ）は、即時に第２アンテナ５ｓへの切り替えを実行する構成とされることが好ましい。
【符号の説明】
【００８３】
１  携帯通信端末
２  筐体
２ｆ  前面
２ｒ  背面
２ｐ  一端
２ｑ  他端
３  タッチパネル
３ｄ  表示部
３ｓ  状況検出部
５ｆ  第１アンテナ
５ｓ  第２アンテナ
６  アンテナ切替部
７  送話口
８  受話口
１０  本体機能部
１１  中央処理部
１２  制御部
１３  信号処理部
１４  無線通信回路
２０  ワイヤレス充電部
２１  電力受信部
２２  充電条件設定部
２３  充電検出部
２５  充電池
５０  ワイヤレス充電器
５０ｓ  載置台
５１  電力生成部
５２  電力送信部
Ｄｋ  机
Ｈｄ  頭部
Ｈｆ  手指
Ｐｗｃ  ワイヤレス充電電力
Ｓｄ  表示駆動信号
Ｓｓ  検出信号
Ｓｗｃ  ワイヤレス充電検出信号
【図１Ａ】
2013225815.tif 000003
【図１Ｂ】
2013225815.tif 000004
【図１Ｃ】
2013225815.tif 000005
【図１Ｄ】
2013225815.tif 000006
【図１Ｅ】
2013225815.tif 000007
【図２】
2013225815.tif 000008
【図３Ａ】
2013225815.tif 000009
【図３Ｂ】
2013225815.tif 000010
【図４】
2013225815.tif 000011